【手続補正書】
【提出日】令和2年5月28日(2020.5.28)
【手続補正１】
【補正対象書類名】特許請求の範囲
【補正対象項目名】全文
【補正方法】変更
【補正の内容】
【特許請求の範囲】
【請求項１】
アンテナのアレイであり、皮膚表面の近くに装着することができ、前記皮膚表面の近くに装着されたときに、前記アンテナのアレイの中のそれぞれのアンテナが、前記皮膚表面の下に埋め込まれた埋込み装置のアンテナとの間でそれぞれの電磁結合の度合いを有するように、前記皮膚表面の指定されたエリアの全体に広がることができるアンテナのアレイと、
前記アンテナのアレイに動作可能に結合されたコントローラであり、操作を実行するようにプログラムされたコンピューティング装置を備えるコントローラと
を備え、前記操作が、
前記アンテナのアレイに対する前記埋込み装置の位置を決定すること、
前記埋込み装置の決定された前記位置に基づいて、前記アンテナのアレイの中の少なくとも２つのアンテナのそれぞれのアンテナの振幅および相対位相を決定すること、および
前記埋込み装置に電磁エネルギーを供給するように、前記アンテナのアレイの中の前記少なくとも２つのアンテナを動作させること、
を含み、
前記少なくとも２つのアンテナを動作させることが、前記少なくとも２つのアンテナのそれぞれのアンテナから、決定された対応する振幅および相対位相に従って電磁エネルギーを放出することを含む、
装置。
【請求項２】
前記アンテナのアレイに対して接地平面をさらに備え、前記接地平面が、スペーシング層によって前記アンテナのアレイから分離されている、請求項１に記載の装置。
【請求項３】
接触層をさらに備え、前記接触層が、前記皮膚表面と接触しており、前記アンテナのアレイが前記皮膚表面の近くに装着されたときに、前記接触層が、前記皮膚表面と前記アンテナのアレイとの間に配される、請求項１に記載の装置。
【請求項４】
前記アンテナのアレイの中のそれぞれのアンテナが、それぞれの変調器を介して前記コントローラに結合されており、それぞれの変調器が、前記コントローラからそれぞれのアンテナに供給される電磁エネルギーの振幅および相対位相を制御するように動作可能である、請求項１に記載の装置。
【請求項５】
前記アンテナのアレイの中のそれぞれのアンテナが、前記皮膚表面の下に埋め込まれたさらなる埋込み装置のさらなるアンテナとの間でそれぞれの電磁結合の度合いを有し、前記操作が、
前記アンテナのアレイに対する前記さらなる埋込み装置のさらなる位置を決定することをさらに含み、
前記埋込み装置の決定された前記位置に基づいて、前記アンテナのアレイの中の前記少なくとも２つのアンテナのそれぞれのアンテナの振幅および相対位相を決定することが、前記埋込み装置の決定された前記位置と、前記さらなる埋込み装置の決定された前記さらなる位置と、に基づいて、前記アンテナのアレイの中の前記少なくとも２つのアンテナのそれぞれのアンテナの前記振幅および前記相対位相を決定して、前記少なくとも２つのアンテナのそれぞれのアンテナから、決定された対応する振幅および相対位相に従って電磁エネルギーを放出することで、前記埋込み装置および前記さらなる埋込み装置の両方に電磁エネルギーを供給するようにすることを含む、請求項１に記載の装置。
【請求項６】
アンテナのアレイであり、皮膚表面の近くに装着することができ、前記皮膚表面の近くに装着されたときに、前記アンテナのアレイの中のそれぞれのアンテナが、前記皮膚表面の下に埋め込まれた埋込み装置のアンテナとの間でそれぞれの電磁結合の度合いを有するように、前記皮膚表面の指定されたエリアの全体に広がることができるアンテナのアレイと、
前記アンテナのアレイに動作可能に結合されたコントローラであり、操作を実行するようにプログラムされたコンピューティング装置を備えるコントローラと
を備え、前記操作が、
前記アンテナのアレイに対する前記埋込み装置の位置を決定すること、
前記埋込み装置の決定された前記位置に基づいて、前記アンテナのアレイの中の２つ以上のアンテナを選択すること、
前記埋込み装置の決定された前記位置に基づいて、選択された前記２つ以上のアンテナのそれぞれのアンテナの振幅および相対位相を決定すること、および
前記埋込み装置に電磁エネルギーを供給するように、選択された前記２つ以上のアンテナを動作させること、
を含み、
選択された前記２つ以上のアンテナを動作させることが、選択された前記２つ以上のアンテナのそれぞれのアンテナから、決定された対応する振幅および相対位相に従って電磁エネルギーを放出することを含む、
装置。
【請求項７】
前記アンテナのアレイの中の少なくとも１つのアンテナがアンテナコイルを備える、請求項６に記載の装置。
【請求項８】
前記アンテナのアレイに対して接地平面をさらに備え、前記接地平面が、スペーシング層によって前記アンテナのアレイから分離されている、請求項６に記載の装置。
【請求項９】
接触層をさらに備え、前記接触層が、前記皮膚表面と接触しており、前記アンテナのアレイが前記皮膚表面の近くに装着されたときに、前記接触層が、前記皮膚表面と前記アンテナのアレイとの間に配される、請求項６に記載の装置。
【請求項１０】
前記接触層が、約０．１ミリメートルから約０．４ミリメートルの間の厚さを有する、請求項９に記載の装置。
【請求項１１】
無線周波スイッチをさらに備え、前記アンテナのアレイの中のそれぞれのアンテナが、前記無線周波スイッチに結合されており、前記埋込み装置に電磁エネルギーを供給するように、選択された前記２つ以上のアンテナを動作させることが、選択された前記２つ以上のアンテナを前記コントローラに結合するように、前記無線周波スイッチを動作させることを含む、請求項６に記載の装置。
【請求項１２】
前記アンテナのアレイの中のそれぞれのアンテナが、それぞれの変調器を介して前記無線周波スイッチに結合されており、それぞれの変調器が、前記無線周波スイッチからそれぞれのアンテナに供給される電磁エネルギーの振幅および相対位相を制御するように動作可能である、請求項１１に記載の装置。
【請求項１３】
前記埋込み装置の位置を決定することが、
前記アンテナのアレイの中のそれぞれのアンテナについて、（ｉ）前記アンテナを介して電磁エネルギーを供給し、（ｉｉ）前記アンテナが受信した電磁信号の受信信号強度を検出すること、および
検出した前記受信信号強度に基づいて埋込み装置の位置を決定すること
を含む、請求項６に記載の装置。
【請求項１４】
前記埋込み装置の位置を決定することが、
前記アンテナのアレイの中のそれぞれのアンテナについて、（ｉ）前記アンテナを介して電磁エネルギーを供給し、（ｉｉ）前記埋込み装置が前記アンテナから受信した電磁エネルギーの量を示す無線送信を前記埋込み装置から受信すること、および
受信した前記無線送信に基づいて埋込み装置の位置を決定すること
を含む、請求項６に記載の装置。
【請求項１５】
前記アンテナのアレイの中のそれぞれのアンテナが、前記皮膚表面の下に埋め込まれたさらなる埋込み装置のさらなるアンテナとの間でそれぞれの電磁結合の度合いを有し、前記操作が、
前記アンテナのアレイに対する前記さらなる埋込み装置のさらなる位置を決定することをさらに含み、
前記埋込み装置の決定された前記位置に基づいて、前記アンテナのアレイの中の２つ以上のアンテナを選択することが、前記埋込み装置の決定された前記位置と、前記さらなる埋込み装置の決定された前記さらなる位置と、に基づいて、前記アンテナのアレイの中の２つ以上のアンテナを選択することを含み、
前記埋込み装置の決定された前記位置に基づいて、選択された前記２つ以上のアンテナのそれぞれのアンテナの振幅および相対位相を決定することが、前記埋込み装置の決定された前記位置と、前記さらなる埋込み装置の決定された前記さらなる位置と、に基づいて、選択された前記２つ以上のアンテナのそれぞれのアンテナの前記振幅および前記相対位相を決定して、選択された前記２つ以上のアンテナのそれぞれのアンテナから、決定された対応する振幅および相対位相に従って電磁エネルギーを放出することで、前記埋込み装置および前記さらなる埋込み装置の両方に電磁エネルギーを供給するようにすることを含む、請求項１に記載の装置。
【請求項１６】
皮膚表面に装着されたリーダ装置内のアンテナのアレイに対する埋込み装置の位置を決定することであって、前記アンテナのアレイが、前記皮膚表面の指定されたエリアの全体に広がり、前記埋込み装置が、前記皮膚表面の下に埋め込まれており、前記アンテナのアレイの中のそれぞれのアンテナが、前記埋込み装置のアンテナとの間でそれぞれの電磁結合の度合いを有する、埋め込み装置の位置を決定すること、
前記埋込み装置の決定された前記位置に基づいて、前記アンテナのアレイの中の２つ以上のアンテナを選択すること、
前記埋込み装置の決定された前記位置に基づいて、選択された前記２つ以上のアンテナのそれぞれのアンテナの振幅および相対位相を決定すること、および
選択された前記２つ以上のアンテナを介して前記埋込み装置に電磁エネルギーを供給すること、
を含み、
前記埋込み装置に電磁エネルギーを供給することが、選択された前記２つ以上のアンテナのそれぞれのアンテナから、決定された対応する振幅および相対位相に従って電磁エネルギーを放出することを含む、
方法。
【請求項１７】
前記リーダ装置が接触層をさらに備え、前記接触層が、前記皮膚表面と接触しており、前記アンテナのアレイが前記皮膚表面の近くに装着されたときに、前記接触層が、前記皮膚表面と前記アンテナのアレイとの間に配される、請求項１６に記載の方法。
【請求項１８】
前記埋込み装置の位置を決定することが、
前記アンテナのアレイの中のそれぞれのアンテナについて、（ｉ）前記アンテナを介して電磁エネルギーを供給し、（ｉｉ）前記アンテナが受信した電磁信号の受信信号強度を検出すること、および
検出した前記受信信号強度に基づいて埋込み装置の位置を決定すること
を含む、請求項１６に記載の方法。
【請求項１９】
前記埋込み装置の位置を決定することが、
前記アンテナのアレイの中のそれぞれのアンテナについて、（ｉ）前記アンテナを介して電磁エネルギーを供給し、（ｉｉ）前記埋込み装置が前記アンテナから受信した電磁エネルギーの量を示す無線送信を前記埋込み装置から受信すること、および
受信した前記無線送信に基づいて埋込み装置の位置を決定すること
を含む、請求項１６に記載の方法。
【請求項２０】
前記アンテナのアレイに対するさらなる埋込み装置のさらなる位置を決定することをさらに含み、
前記埋込み装置の決定された前記位置に基づいて、前記アンテナのアレイの中の２つ以上のアンテナを選択することが、前記埋込み装置の決定された前記位置と、前記さらなる埋込み装置の決定された前記さらなる位置と、に基づいて、前記アンテナのアレイの中の２つ以上のアンテナを選択することを含み、
前記埋込み装置の決定された前記位置に基づいて、選択された前記２つ以上のアンテナのそれぞれのアンテナの振幅および相対位相を決定することが、前記埋込み装置の決定された前記位置と、前記さらなる埋込み装置の決定された前記さらなる位置と、に基づいて、選択された前記２つ以上のアンテナのそれぞれのアンテナの前記振幅および前記相対位相を決定して、選択された前記２つ以上のアンテナのそれぞれのアンテナから、決定された対応する振幅および相対位相に従って電磁エネルギーを放出することで、前記埋込み装置および前記さらなる埋込み装置の両方に電磁エネルギーを供給するようにすることを含む、請求項１６に記載の方法。
【請求項２１】
アンテナコイルのアレイであり、皮膚表面の近くに装着することができ、前記皮膚表面の近くに装着されたときに、前記アンテナコイルのアレイの中のそれぞれのアンテナコイルが、前記皮膚表面の下に埋め込まれた埋込み装置のアンテナとの間でそれぞれの電磁結合の度合いを有するように、前記皮膚表面の指定されたエリアの全体に広がることができるアンテナコイルのアレイと、
前記アンテナコイルのアレイに動作可能に結合されたコントローラであり、操作を実行するようにプログラムされたコンピューティング装置を備えるコントローラと
を備え、前記操作が、
前記アンテナコイルのアレイに対する前記埋込み装置の位置を決定すること、
前記埋込み装置の決定された前記位置に基づいて、前記アンテナコイルのアレイの中の２つ以上のアンテナコイルを選択すること、
前記埋込み装置の決定された前記位置に基づいて、選択された前記２つ以上のアンテナコイルのそれぞれのアンテナコイルの振幅および相対位相を決定すること、および
前記埋込み装置に無線周波電力を供給するように、選択された前記２つ以上のアンテナコイルを動作させること、
を含み、
選択された前記２つ以上のアンテナコイルを動作させることが、選択された前記２つ以上のアンテナコイルのそれぞれのアンテナコイルから、決定された対応する振幅および相対位相に従って無線周波電力を放出することを含む、
装置。
【請求項２２】
前記アンテナコイルのアレイの中の少なくとも１つのアンテナコイルが、約３ミリメートルから約３．５ミリメートルの間の直径を有する、請求項２１に記載の装置。
【請求項２３】
前記アンテナコイルのアレイに対して局所的に実質的に平行な接地平面をさらに備え、前記接地平面が、スペーシング層によって前記アンテナコイルのアレイから分離されている、請求項２１に記載の装置。
【請求項２４】
接触層をさらに備え、前記接触層が、前記皮膚表面と接触しており、前記アンテナコイルのアレイが前記皮膚表面の近くに装着されたときに、前記接触層が、前記皮膚表面と前記アンテナコイルのアレイとの間に配される、請求項２１に記載の装置。
【請求項２５】
前記接触層が、約０．１ミリメートルから約０．４ミリメートルの間の厚さを有する、請求項２４に記載の装置。
【請求項２６】
無線周波スイッチをさらに備え、前記アンテナコイルのアレイの中のそれぞれのアンテナコイルが、前記無線周波スイッチに結合されており、前記埋込み装置に無線周波電力を供給するように、選択された前記２つ以上のアンテナコイルを動作させることが、選択された前記２つ以上のアンテナコイルを前記コントローラに結合するように、前記無線周波スイッチを動作させることを含む、請求項２１に記載の装置。
【請求項２７】
前記アンテナコイルのアレイの中のそれぞれのアンテナコイルが、それぞれの変調器を介して前記無線周波スイッチに結合されており、それぞれの変調器が、前記無線周波スイッチからそれぞれのアンテナコイルに供給される無線周波電力の振幅および相対位相を制御するように動作可能であり、選択された前記２つ以上のアンテナコイルのそれぞれのアンテナコイルから、決定された対応する振幅および相対位相に従って無線周波電力を放出することが、選択された前記２つ以上のアンテナコイルに関連づけられた２つ以上の変調器を、決定されたそれぞれの振幅および相対位相に従って動作させることを含む、請求項２６に記載の装置。
【請求項２８】
前記埋込み装置の位置を決定することが、
それぞれのアンテナコイルについて、（ｉ）前記アンテナコイルを介して無線周波電力を供給し、（ｉｉ）それぞれのアンテナコイルが受信した無線周波信号の受信信号強度を検出すること、および
検出した前記受信信号強度に基づいて埋込み装置の位置を決定すること
を含む、請求項２１に記載の装置。
【請求項２９】
前記埋込み装置の位置を決定することが、
それぞれのアンテナコイルについて、（ｉ）前記アンテナコイルを介して無線周波電力を供給し、（ｉｉ）前記埋込み装置が前記アンテナコイルから受信した無線周波電力の量を示す無線送信を前記埋込み装置から受信すること、および
受信した前記無線送信に基づいて埋込み装置の位置を決定すること
を含む、請求項２１に記載の装置。
【請求項３０】
前記埋込み装置の決定された前記位置に基づいて、前記アンテナコイルのアレイの中の２つ以上のアンテナコイルを選択することが、前記アンテナコイルのアレイの中の２つのコイルを選択することを含む、請求項２１に記載の装置。
【請求項３１】
前記埋込み装置の決定された前記位置に基づいて、前記アンテナコイルのアレイの中の２つ以上のアンテナコイルを選択することが、前記アンテナコイルのアレイの中の３つのコイルを選択することを含む、請求項２１に記載の装置。
【請求項３２】
皮膚表面に装着されたリーダ装置内のアンテナコイルのアレイに対する埋込み装置の位置を決定することであって、前記アンテナコイルのアレイが、前記皮膚表面の指定されたエリアの全体に広がり、前記埋込み装置が、前記皮膚表面の下に埋め込まれており、前記アンテナコイルのアレイの中のそれぞれのアンテナコイルが、前記埋込み装置のアンテナとの間でそれぞれの電磁結合の度合いを有する、埋め込み装置の位置を決定すること、
前記埋込み装置の決定された前記位置に基づいて、前記アンテナコイルのアレイの中の２つ以上のアンテナコイルを選択すること、
前記埋込み装置の決定された前記位置に基づいて、選択された前記２つ以上のアンテナコイルのそれぞれのアンテナコイルの振幅および相対位相を決定すること、および
選択された前記２つ以上のアンテナコイルを介して前記埋込み装置に無線周波電力を供給すること、
を含み、
前記埋込み装置に無線周波電力を供給することが、選択された前記２つ以上のアンテナコイルのそれぞれのアンテナコイルから、決定された対応する振幅および相対位相に従って無線周波電力を放出することを含む、
方法。
【請求項３３】
前記アンテナコイルのアレイの中の少なくとも１つのアンテナコイルが、約３ミリメートルから約３．５ミリメートルの間の直径を有する、請求項３２に記載の方法。
【請求項３４】
前記リーダ装置が接触層をさらに備え、前記接触層が、前記皮膚表面と接触しており、前記アンテナコイルのアレイが前記皮膚表面の近くに装着されたときに、前記接触層が、前記皮膚表面と前記アンテナコイルのアレイとの間に配され、前記接触層が、約０．１ミリメートルから約０．４ミリメートルの間の厚さを有する、請求項３２に記載の方法。
【請求項３５】
前記リーダ装置が無線周波スイッチおよび無線周波電力源をさらに備え、前記アンテナコイルのアレイの中のそれぞれのアンテナコイルが、前記無線周波スイッチに結合されており、選択された前記２つ以上のアンテナコイルを介して前記埋込み装置に無線周波電力を供給することが、選択された前記２つ以上のアンテナコイルを前記無線周波電力源に結合するように、前記無線周波スイッチを動作させることを含む、請求項３２に記載の方法。
【請求項３６】
前記アンテナコイルのアレイの中のそれぞれのアンテナコイルが、それぞれの変調器を介して前記無線周波スイッチに結合されており、選択された前記２つ以上のアンテナコイルのそれぞれのアンテナコイルから、決定された対応する振幅および相対位相に従って無線周波電力を放出することが、選択された前記２つ以上のアンテナコイルに関連づけられた２つ以上の変調器を使用して、前記無線周波スイッチから選択された前記２つ以上のアンテナコイルに供給される無線周波電力の振幅および相対位相を、決定されたそれぞれの振幅および相対位相に従って制御することを含む、請求項３５に記載の方法。
【請求項３７】
前記埋込み装置の位置を決定することが、
それぞれのアンテナコイルについて、（ｉ）前記アンテナコイルを介して無線周波電力を供給し、（ｉｉ）それぞれのアンテナコイルが受信した無線周波信号の受信信号強度を検出すること、および
検出した前記受信信号強度に基づいて埋込み装置の位置を決定すること
を含む、請求項３２に記載の方法。
【請求項３８】
前記埋込み装置の位置を決定することが、
それぞれのアンテナコイルについて、（ｉ）前記アンテナコイルを介して無線周波電力
を供給し、（ｉｉ）前記埋込み装置が前記アンテナコイルから受信した無線周波電力の量
を示す無線送信を前記埋込み装置から受信すること、および
受信した前記無線送信に基づいて埋込み装置の位置を決定すること
を含む、請求項３２に記載の方法。
【請求項３９】
前記埋込み装置の決定された前記位置に基づいて、前記アンテナコイルのアレイの中の
２つ以上のアンテナコイルを選択することが、前記アンテナコイルのアレイの中の２つの
コイルを選択することを含む、請求項３２に記載の方法。
【請求項４０】
前記埋込み装置の決定された前記位置に基づいて、前記アンテナコイルのアレイの中の
２つ以上のアンテナコイルを選択することが、前記アンテナコイルのアレイの中の２つの
コイルを選択することを含む、請求項３２に記載の方法。